(57)【要約】【課題】ヘアケア電気器具、詳細にはヘアドライヤ、特に交換可能なアタッチメントを有するヘアドライヤのための支持体を提供する。【解決手段】ヘアケア電気器具用の支持体が開示され、支持体は、貫通して延びる開口を含むスタンド部と、開口の周囲に広がるカラーとを備え、カラーは、電気器具から流出する流体がスタンド部の開口と流体連通するように、電気器具を開口に対して保持するようになっている。スタンド部は第１の面及び第２の面を備えることができ、第１の面は、電気器具を受け入れて保持するようになっている。カラーは、少なくとも部分的に開口の内周を定めることができる。カラーは、少なくとも部分的に開口の内周を定める第１のリングを備えることができる。カラーは、第１のリングの半径方向内側に配置された第２のリングを備えることができる。【選択図】図１
2018158111.tif 000002
【特許請求の範囲】
【請求項１】
ヘアケア電気器具用の支持体であって、前記支持体は、第１の保管位置と少なくとも１つの追加的な保管位置とを備え、前記ヘアケア電気器具は、電気器具と、前記電気器具から流出する流体の特性を変更するための少なくとも１つのアタッチメントとを備え、前記第１の保管位置は、前記ヘアケア電気器具を前記支持体に結合するようになっており、前記少なくとも１つの追加的な位置は、前記少なくとも１つのアタッチメントを前記支持体に結合するようになっており、前記電気器具及び前記少なくとも１つのアタッチメントは、磁力によって前記支持体に取り付けられる、支持体。
【請求項２】
スタンド部及びベース部を備え、前記ベース部は、表面上に置かれるように設計され、前記スタンド部は、前記ベース部から延び、前記第１の保管位置及び前記少なくとも１つの追加的な保管位置を備える、請求項１に記載の支持体。
【請求項３】
前記少なくとも１つの追加的な保管位置は、第２の保管位置及び第３の保管位置を備える、請求項１又は２に記載の支持体。
【請求項４】
前記第３の保管位置は、前記スタンド部上に設けられる、請求項３に記載の支持体。
【請求項５】
前記支持体は、表面上に置かれるように設計されたベース部を備え、追加的な保管位置は、前記ベース部上に設けられる、請求項１から４のいずれかに記載の支持体。
【請求項６】
前記電気器具は、機械的固定具によって前記支持体に取り付けられる、請求項１から５のいずれかに記載の支持体。
【請求項７】
前記支持体は携帯可能である、請求項１から６のいずれかに記載の支持体。
【発明の詳細な説明】
【技術分野】
【０００１】
本発明は、ヘアケア電気器具、詳細にはヘアドライヤ、特に交換可能なアタッチメントを有するヘアドライヤのための支持体に関する。
【背景技術】
【０００２】
ヘアケア電気器具の一部のユーザは、例えば髪の一房を選択するために、この器具を作動中に表面上に置くことがある。このことはストレートナ（ｓｔｒａｉｇｈｔｅｎｅｒ）などの流体が流れない電気器具にとって問題ではないが、流体が流れる場合、製品は置いた場所に留まらず、場合によっては損傷を受けるか又は損傷を与える可能性がある。従来、ヘアドライヤは、隣接した張力緩和部（ｓｔｒａｉｎ  ｒｅｌｉｅｆ）から延びる吊り下げループを備え、ヘアドライヤはフックから吊り下げることができる。代替手段として、不使用時に本体が挿入される輪状体（ｈｏｏｐ）を備える。
【０００３】
これらの保管方法の問題点は、電気器具及び１つのアタッチメントのための保管場所だけを提供する点であり、アタッチメントがヘアドライヤに取り付けられた場合、何らかの他のアタッチメントは他の場所に保管する必要があり、置き忘れるか又は紛失する可能性もある。他の問題点は、ユーザが電気器具をその作動中に保管する場合、電気器具はあちこちに動いてこの場合も損傷を与えるか又は損傷を受ける可能性がある。これらの問題の１つの解決策は、金属製出口グリルによってヘアドライヤを保管場所に磁気的に引きつけることであるが、実開昭５５−０６０８０６号に提案されたような解決策は、アタッチメントの保管を可能にすること又は保管中に電気器具の作動を可能にすることができない。
【先行技術文献】
【特許文献】
【０００４】
【特許文献１】実開昭５５−０６０８０６号
【発明の概要】
【課題を解決するための手段】
【０００５】
本発明はヘアケア電気器具用の支持体を提供し、電気器具は、既知の定位置（固定位置）に配置され、この装置は流体出口を含んでいるので、電気器具が作動中にスタンドに対して配置される場合、電気器具から流出する流体は、装置の流体出口と流体連通する。
【０００６】
また、本発明は、ヘアケア電気器具用の支持体を提供し、電気器具及び少なくとも１つのアタッチメントの両方は、支持体に取り付けること又は支持体上の保管することができる。
【０００７】
第１の態様によれば、本発明は、ヘアケア電気器具用の支持体を提供し、支持体は、これを貫通して延びる開口を含むスタンド部と、開口の周囲に広がるカラーとを備え、カラーは、電気器具から流出する流体がスタンド部の開口と流体連通するように、電気器具を開口に対して保持するようになっている。
【０００８】
好ましくは、スタンド部は第１の面（第１の側）及び第２の面（第２の側）を備え、第１の面は、電気器具を受け入れて保持するようになっている。
【０００９】
カラーは、少なくとも部分的に開口の内周を定めることが好ましい。
【００１０】
好ましくは、カラーは、少なくとも部分的に開口の内周を定める第１のリングを備える。
【００１１】
カラーは、第１のリングの半径方向内側に配置された第２のリングを備えることが好ましい。
【００１２】
好ましくは、第２のリングは、第１のリングと第２のリングとの間で半径方向に広がる結合ストラットによって第１のリングに結合される。
【００１３】
結合ストラットは、第１のリングと第２のリングとの間を結合する一連の離間したリブであり、隣接する結合ストラット対の各々の間に支持体を貫通する貫通穴が設けられることが好ましい。
【００１４】
好ましくは、第２のリングは、スタンド部の第１の面から離れて直角に延びる直立部分を備える。
【００１５】
直立部分は、電気器具を開口に対して保持するようになっていることが好ましい。
【００１６】
好ましくは、電気器具が支持体に結合された場合、１又は２以上の開口及び貫通穴は、電気器具からの流体出口と流体連通する。
【００１７】
カラーは非導電材料から作られることが好ましい。
【００１８】
好ましくは、カラーは、該カラーの周りで半径方向に離間した複数の磁石又は磁化材料の個別領域をさらに備える。
【００１９】
複数の磁石又は磁化材料の個別領域は、カラーの内部に埋め込まれる（収容される、または凹部に収納される）ことが好ましい。
【００２０】
好ましくは、複数の磁石又は磁化材料の個別領域は、電気器具を開口に対して保持する。
【００２１】
第２の態様によれば、本発明は、ヘアケア電気器具及び電気器具用の支持体を提供し、電気器具は、電気器具への主流体入口から、電気器具からの主流体出口に延びる主流体流路と、電気器具への流体入口から、電気器具からの流体出口に延びる流体流路とを備え、支持体は、そこを貫通して延びる開口を含むスタンド部を備え、カラーは開口の周囲に広がり、カラーは、電気器具の流体出口から流出する流体がスタンド部の開口と流体連通するように、電気器具を開口に対して保持するようになっている。
【００２２】
好ましくは、カラーは、少なくとも１つの追加的な開口を備え、少なくとも１つの追加的な開口は、電気器具からの主流体出口と流体連通する。
【００２３】
第３の態様によれば、本発明は、ヘアケア電気器具用の支持体を提供し、支持体は、第１の保管位置と少なくとも１つの追加的な保管位置とを備え、ヘアケア電気器具は、電気器具と、該電気器具から流出する流体の特性を変更するための少なくとも１つのアタッチメントとを備え、第１の保管位置は、ヘアケア電気器具を支持体に結合するようになっており、少なくとも１つの追加的な保管位置は、少なくとも１つのアタッチメントを支持体に結合するようになっている。
【００２４】
好ましくは、支持体は、スタンド部及びベース部を備え、ベース部は、表面上に置かれるように設計され、スタンド部は、ベース部から延び、第１の保管位置及び少なくとも１つの追加的な保管位置を備える、
【００２５】
少なくとも１つの追加的な保管位置は、第２の保管位置及び第３の保管位置を備えることが好ましい。
【００２６】
好ましくは、第３の保管位置は、スタンド部上に設けられる。
【００２７】
支持体は、表面上に置かれるように設計されたベース部を備え、追加的な保管位置は、ベース部上に設けられることが好ましい。
【００２８】
好ましくは、電気器具及び少なくとも１つのアタッチメントは、支持体に対して磁力で取り付けられる。
【００２９】
電気器具は、機械的固定具によって支持体に取り付けられることが好ましい。
【００３０】
好ましくは、支持体は可搬型（携帯可能）である。
【００３１】
本発明は、以下、添付図面を参照して詳細に説明される。
【図面の簡単な説明】
【００３２】
【図１】ヘアケア電気器具を備えた支持体及び支持体に取り付けられたアタッチメントの側面図を示す。
【図２】図１の側面図を通る断面図を示す。
【図３】図１に示す支持体の分解等角図を示す。
【図４ａ】支持体の後方等角図を示す。
【図４ｂ】支持体の前方等角図を示す。
【図４ｃ】支持体及びカラーの一部の部分分解等角図を示す。
【図４ｄ】支持体の一部の部分分解等角図を示す。
【図５】図２のディフューザの拡大部分側面図を示す。
【図６】図２に示す支持体及び電気器具の拡大部分側面図を示す。
【図７ａ】スタンド部又は支持体の部分等角図を示す。
【図７ｂ】図７ａの部分Ａの拡大図を示す。
【発明を実施するための形態】
【００３３】
図１は支持体１０を示し、この支持体１０上にヘアドライヤ１００が保管される。加えて、図２、４ａ、及び４ｂを参照すると、支持体１０は、スタンド部２０及びベース部３０を有する。ベース部３０は、平面上に設置されるようになっており、偶発的な動き及び支持体１０が設置される表面１２の引っかき傷を防止するためのクッション脚部３２を有する表面係合部２８を含む。加えて、ベース部３０は、ネジ３６を挿入することができるネジボス３４を含む。これにより、表面１２を貫通する穴１４によってベース部３０を表面１２にしっかり固定することができ、そしてネジ３６とこのネジに取り付けられる蝶ナット３８との組み合わせでベース部３０を表面１２に対して締結する。
【００３４】
支持体１０は２つの機能を有し、第１の機能は、ヘアケア電気器具１００が支持体１０に取り付けられた場合に、この電気器具のための再現可能な位置決めをもたらす。第２の機能は、電気器具１００での使用が意図された複数のアタッチメント４０、５０、６０のための保管場所をもたらす。この実施例において、３つのアタッチメント４０、５０、６０がある。各々のアタッチメントは、装着時に電気器具１００に対して少し異なった機能を提供する。
【００３５】
簡単に説明すると、電気器具１００は、ハンドル１１０及び本体１２０を有する。本体１２０は、本体への流体入口１３２から、本体からの流体出口１３４まで延在する流体流路１３０を含む。流体流路１３２は、本実施形態では管状であり、流体入口１３２から流体出口１３４に延在する壁１３６によって定められる。
【００３６】
本体１２０は、流体入口１３２を含む入口端部１２２と、流体出口１３４を含む出口端部１２４とを有する。支持体１０は、本体１２０の出口端部１２４において電気器具１００を保持するようになっている。ハンドル１１０は、本体１２０の出口端部１２４から所定の距離だけ離れて本体１３０に結合する。
【００３７】
電気器具１００は、他の流体流路、すなわち主流体流路２００を有し、主流体流路２００は、電気器具１００のハンドル１１０に設けられた主流体入口２１０から本体１２０の出口端部１２４における主流体出口２２０まで延びる。主流体流路２００内の流体は、ハンドル１１０に配置されたファンユニット２３０の作用で主流体入口２１０に引き込まれる。主流体流路２００は、壁１３６の外周の周りに延在し、壁１３６及び外壁１２８によって定められる。壁１３６と外壁１２８との間には、ヒーター１４０が設けられている。ヒーター１４０は、主流体流路２００を通って流れる流体を随意的に加熱する。
【００３８】
ここで支持体１０を参照すると、支持体３０のベース部３０は、第３のアタッチメント６０を収容する。この第３のアタッチメント６０はディフューザであり、これは電気器具１０から出る流れを減速するように設計されており、そのためディフューザは比較的大型で円錐状であり、電気器具１００からディフューザに流入する流体のためのプレナムを提供するようになっている。
【００３９】
図２及び５を参照すると、ディフューザは、入口端部６２及び出口端部６４を含み、入口端部６２は、電気器具１００に取り付けるようになっている。出口端部６４は、２つのタイプの開口を含む。第１のタイプの開口６６は、グリル６８内に設けられており、出口端部６４の断面を横切って延びる。第２のタイプの開口１６０は、グリル６８から外に延びるプロング（突出部）１６２に沿って設けられる。プロング１６２は、リング状に配置され、外側リング１６４が、ディフューザの任意の他の部分よりも入口端部６２からさらに遠くに延びる。
【００４０】
ベース部３０は、第３のアタッチメント６０を支持体１０に取り付けるために外側リング１６４と係合するようになっている。ベース部３０は、ほぼ平らなので表面１２上に載って静止するが、隆起した円形セクション１３０を備えており、この円形セクション１３０は第３のアタッチメント６０を受け入れる。隆起した円形セクション１３０は、隆起した円形セクション１３０と表面係合部２８との間の移行部を形成する側面１３２が、外側リング１６４よりも小さな直径を有し、かつ外側リング１６４の端面１６６を支持体１０に対して所定位置に保持するような直径である。
【００４１】
スタンド部２０は、ほぼ平らな第１の部分２２と、ベース部３０とスタンド部２０の第１のセクション２２との間で延びる第２のセクション２４の２つの部分を有する。第１の部分２２は、電気器具１００を保持するために使用される。第２の部分２４は、ベース部３０からスタンド部２０の第１の部分２２への移行部を提供する。ベース部３０と第１の部分２２との間の公称角度は約４５°であるが、当業者であれば理解できるように、ベース部３０の重量、第１の部分の高さ、及び電気器具１００に全てのアタッチメント４０、５０、６０を加えた重量に応じて、約３０°から６０°の間の任意の角度を実現することができる。
【００４２】
本実施形態において、第２の部分２４は、ベース部３０から第１の部分２２への単純な移行部を単に提供するものではない。これは第３のアタッチメント６を収容するのに必要な空間に部分的に起因する。また、ユーザが電気器具１００を支持体１０から取り外すために容易に把持できるやり方で、第２の部分２４が電気器具１００の一部を支持できるようにすることにも起因する。
【００４３】
支持体は、第１の面（第１の側）１６及び第２の面（第２の側）１８を有する。支持体１０は、第１の面１６で電気器具１００を受け止める。スタンド部２０の第１の部分２２は、本体１２０の壁１３６を保持するために使用される開口７０を備える。ハンドル１１０は本体１２０から略直角に延びているので、壁１３６が開口７０に対して保持される場合、ユーザが電気器具１００を支持体１０上に設置することでハンドル１１０は、スタンド部２０に沿って第１の部分２２から第２の部分２４に向かって延びる。従って、第２の部分２４は、電気器具１００のハンドル１１０を支持することができる。
【００４４】
第２の部分２４は、ベース部３０から第１の部分２２に係合するために半円経路を囲むように延びる略Ｕ形である。第２の部分２４の側部１２２の長さｌ1は、本体１２０の出口端部１２４とハンドル１１０との間の距離ｄ1に一致する。このことは、支持体１０の第１の面１６とハンドル１１０との間に空間１０２がもたらされることを意味し、これによってユーザは、電気器具１００を支持体１０から取り外す前に電気器具１００を把持及び保持することができる。
【００４５】
スタンド部２０に対して電気器具１００を再現可能に（繰り返し）適切な場所に置くために、開口７０は、この開口７０の周りに広がって電気器具１００の出口端部１２４と係合するカラー１７０を備える。開口７０は、表面７２で定められ、支持体１０の第１の面１６上であって表面７２に隣接して凹型リム７４があり、凹型リム７４の外縁７６は、カラー１７０のフランジ１７４に係合する。
【００４６】
詳細には、カラー１７０は、開口７０の表面７２と係合する第１のリング１７２と、第１のリング１７２から半径方向外側に延びてスタンド１０の凹型リム７４を係合するフランジ１７４と、第２のリング１７６とを有する。第２のリング１７６は、第１のリング１７２の半径方向内側に配置されかつストラット１７８を用いて第１のリング１７２に結合され、ストラット１７８は、第１のリング１７２と第２のリング１７６との間に延びており、第１のリング１７２及び第２のリング１７６の両方の円周周りで半径方向に離間している。隣接するストラット１７８の間には追加的な開口７８が存在する。
【００４７】
第２のリング１７６は、支持体１０の第１の面１６から突出すると共に支持体１０の第１の面１６から離れる方向に直角に延びる直立部分１７６ａを含む。直立部分１７６ａは、電気器具１００の出口端部１２４と係合する。詳細には、直立部分１７６ａは、電気器具１００がスタンド部２０に取り付けられた場合、その壁１３６と共に延びる。直立部分１７６ａは、壁１３６の周りかつその内部に延びる。
【００４８】
一部の実施形態において、直立部分１７６ａは、支持体１０の第１の面１６からの遠位端１７６ｂにおいて半径方向内向きにテーパー付けされている。これは電気器具１００を支持体１０上で位置決めするのを助ける。この追加的で必須ではない特徴は、図４ａ及び６に関して示されている。
【００４９】
この実施形態において、電気器具１００のスタンド部２０上での保持を助けるために、電気器具１００及びスタンド部２０の両方は、磁石又は磁化材料を備え、機械的相互作用に加えて磁力を利用するようになっている。電気器具１００は、出口端部１２４の近くに配置された金属製リング１２６、例えば鋼製リングを含み、スタンド部２０は、半径方向に離間した複数の磁石１８０を含む。直立部分１７６ａ及び磁力の両方は、電気器具１００のスタンド部２０上での繰り返しの位置決めを可能にするために利用される。
【００５０】
電気器具１００の出口端部１２４において、外壁１２８は、本体１２０の半径方向の最外部であり、本体１２０の中心に向かって半径方向内方に進むと、金属製リング１２６、主流体出口２２０、壁１３６、最後に流体流路１３０がある。電気器具１００が支持体１０に取り付けられる場合、金属製リング１２６は磁石１８０に整列し、その間にフランジ１７４があり、直立部分１７６ａは、壁１３６の内部に挿入され、主流体出口２２０は、追加的な開口７４に整列する。
【００５１】
カラー１７０に対する電気器具１００の整列と併せて追加的な開口７４を提供すると、電気器具１００を作動中に支持体１０上に置く場合に、主流体流路２００を通過する流体は、追加的な開口７８を経由して支持体１０を通って確実に流出できる。
【００５２】
カラー１７０及び磁石１８０は、スタンド部２０の第１の部分２２に接着することができ、又は他の機械的固定手法を利用することもできる。
【００５３】
スタンド部２０の機能のうちの１つを支援し電気器具１００において好適な第１のアタッチメント４０の追加的な保管位置決めを可能にするために、第２のカラー１８２が設けられる。第２のカラー１８２は、支持体１０の第２の面１８に隣接して配置され、同様にスタンド部２０の第１の部分２２に接着することができる。この実施形態において、代替的に又は追加的に、第２のカラー１８２は、４本のネジ１８４によって第１のカラー１７０にネジ留めされ、その間にスタンド部２０の第１の部分２２及び磁石１８０を効果的に挟み込む。
【００５４】
第２のカラー１８２は単純なリングであり、スタンド部２０の第１の部分２２の第２の面１８上の開口７０の周囲に広がっている。
【００５５】
第１のアタッチメント４０は、入口端部４２及び出口端部４４を有する。入口端部４２は端面４６を含み、電気器具の出口端部１２４に係合するようになっている。また、端面４６又は隣接領域は、磁石又は磁化材料１４６を含む。アタッチメント４０、５０、６０のいずれかが電気器具１００に取り付けられる場合、アタッチメント４０、５０、６０のいずれかの端面４６における又はその近くの磁石又は磁化材料１４６は、電気器具１０の出口端部１２４に設けられた金属製リング１２６に引き付けられる。第１のアタッチメント４０は、電気器具１００の本体１２０の壁１３６に係合するようになった内壁４８を含む。これは２つの機能を果たし、第１の機能は、第１のアタッチメント４０の電気器具１００に対する位置決めを支援することであり、第２の機能は、流体流路１３０を通る流体の流れを阻止することである。第１のアタッチメント４０は、内壁４８と一緒になってアタッチメント流体流路５４を定める第２の壁５２を含む。アタッチメント流体流路５４は、アタッチメント流体入口５６及びアタッチメント流体出口５８を有する。第１のアタッチメント４０が電気器具１００に取り付けられる場合、アタッチメント流体入口５６は、主流体出口２２０と流体連通する。主流体出口２２０から流出する任意の流体は、アタッチメント流体流路５４に流入する。
【００５６】
内壁４８が壁１３６内に挿入されかつ端面４４が電気器具１００の出口端部１２４に当接するので、内壁４８は、第１のアタッチメント４０の入口端部４２を定める。これにより、第１のアタッチメント４０が支持体１０上に保持される場合、内壁４８は開口７０内に延びる。これに対応するために、カラー１７２は、支持体１０の第１の面１６に隣接する凹部７２を含む。
【００５７】
第１のアタッチメント４０が支持体１０に結合される場合、端面４６における又はその近くの磁石又は磁化材料は、磁石１８０と整列し、その間に第２のカラー１８２があり、内壁４８は、開口７０の内部に延びてカラー１７０に設けられた凹部７２の中に収容され、主流体出口２２０は、追加的な開口７４と整列する。
【００５８】
第２のアタッチメント５０は、支持体１０に収容することができる。スタンド部２０の第１の部分２２上に第２の開口７６が設けられている。第２の開口７６は、第２のアタッチメント５０の内壁４８を収容する大きさである（全てのアタッチメント４０、５０、６０の内壁４８は、電気器具１００の壁１３６に嵌合するよう設計されているので同一であることに留意されたい）。この実施形態において、スタンド部２０及びベース部２４は単一の鋼板から形成されているので、第２のアタッチメント５０は、第１の部分２２に直接取り付けることができ、内壁４８は、第２の開口７６を少なくとも部分的に貫通して延びる。
【００５９】
第２のアタッチメント５０の簡単な取り外しを可能にするために、端面４６は、スタンド部２０の第１の部分２２にぴったりくっついて（面一に）置かれていない。第２のアタッチメント５０は、第２の凹部７６を貫通して延びる内壁４８と、端面４６及び磁石又は磁化材料１４６を含む外壁１５０と、を有する。外壁１５０は、内面１５４及び外面１５２を有する。第２の開口７６に隣接して、第２の表面１８は、第２の開口７６の周囲に広がる追加的な凹部８０を備える。この追加的な凹部８０は、第２の凹部８０から半径方向外側に所定距離だけ延び、これにより、端面４６の一部を第２の面１８で支えることができる。従って、第２の凹部８０は、所定距離だけ半径方向外側に延び、支持体１０に取り付けられた場合、第２のアタッチメント５０の外壁１５０の一部だけが第２の面１８に物理的に接触する。第２の凹部８０の外周８２は、外壁１５０の内面１５４と外面１５２との間に位置する。
【００６０】
もしくは、スタンド部２０及びベース部２４が非強磁性材料で形成される場合、追加的なカラー収容磁石を使用して第２のアタッチメントの取り付けを可能にすることができる。
【００６１】
当業者であれば理解できるように、第１及び第２のアタッチメントは、支持体１０上の位置に関して交換可能であり、また、第３のアタッチメントは、第１の及び／又は第２のアタッチメントに関して説明した位置に配置することができる。加えて、電気器具１００が保管されない場合、アタッチメント４０、５０、６０は、スタンド部２０の第１の部分２２の第１の面１６上の第２の開口７６に対して配置することができる。
【００６２】
全てのアタッチメント４０、５０、６０が内壁４８を有するように説明されているが、このことは本発明では必須ではない。内壁４８を取り除くことは、アタッチメントが電気器具１００に取り付けられる場合、流体は主流体流路２００だけでなく流体流路１３０を通過することもできることを意味する。
【００６３】
本発明はヘアドライヤに関して説明されているが、本発明は、流体を吸い込んでそこから流体の流出流を案内する何らかの電気器具に適用可能である。
【００６４】
電気器具は、ヒーターありで又はなしで使用することができ、流体の高速流出流の作用は乾燥効果をもたらす。
【００６５】
電気器具を通過する流体は、一般的には空気であるが、ガスの種々の組み合わせとすることができ、電気器具の性能又は電気器具が物体上にもたらす影響を改善するための、その生成物が毛髪又はその整髪用に向けられる添加物を含むことができる。
【００６６】
本発明は、前述の詳細な説明に限定されない。当業者であれば種々の変形例を理解できるはずである。
【図１】
2018158111.tif 000003
【図２】
2018158111.tif 000004
【図３】
2018158111.tif 000005
【図４ａ】
2018158111.tif 000006
【図４ｂ】
2018158111.tif 000007
【図４ｃ】
2018158111.tif 000008
【図４ｄ】
2018158111.tif 000009
【図５】
2018158111.tif 000010
【図６】
2018158111.tif 000011
【図７ａ】
2018158111.tif 000012
【図７ｂ】
2018158111.tif 000013